【事件の表示】
　特願２００６−２７０００９「インスタント・メッセージを可聴音信号によって注釈付けする方法、システム及びプログラム」拒絶査定不服審判事件〔平成１９年　４月１９日出願公開、特開２００７−１０２７８７〕について、次のとおり審決する。
【結　論】
　本件審判の請求は、成り立たない。
【理　由】
第１　手続きの経緯 
　 
　本件は、平成１８年９月２９日（パリ条約による優先権主張２００５年１０月３日、米国）の出願であって、平成２３年１２月１６日付けで拒絶理由が通知され、平成２４年３月３０日に手続補正がなされたが、平成２４年８月２２日付けで拒絶査定がなされ、これに対して平成２４年１２月２５日に拒絶査定不服審判の請求がなされるとともに、同時に手続補正がなされたものである。 
　 
　 
第２　平成２４年１２月２５日付けの手続補正についての補正却下の決定 
　 
［補正却下の決定の結論］ 
　 
　平成２４年１２月２５日付けの手続補正（以下、「本件補正」という。）を却下する。 
　 
　 
［補正却下の決定の理由］ 
　 
１．補正後の本願発明
　
　本件補正により、特許請求の範囲の請求項１は、
　
「インスタント・メッセージを可聴音信号によって注釈付けする方法であって、
　インスタント・メッセージを作成するステップと、
　前記インスタント・メッセージの書き手が語句を読み上げることにより、該書き手の音声の特徴を示す、１個若しくは複数個のテキストから音声への合成用制御パラメータを確立するステップと、
　前記インスタント・メッセージとともに前記制御パラメータを、受け手の装置に送るステップと、
　を有し、
　前記制御パラメータは、前記受け手の装置によって、前記書き手により確立される前記制御パラメータとともに受け取られる前記インスタント・メッセージが、レビューされるとともに、前記インスタント・メッセージのテキスト部分を表す音声が前記書き手の確立した前記制御パラメータに従って可聴音として生じるように、前記書き手が確立した前記制御パラメータに従ってテキストから音声へと合成されるために用いられる、
　方法。」
　
と補正された。
　
　本件補正は、本件補正前の請求項１に記載した発明を特定するために必要な事項である「インスタント・メッセージの作成中、音声注釈付けオプションのために１個若しくは複数個のテキストから音声への合成用制御パラメータを、書き手が語句を読み上げることにより確立するステップ」を「インスタント・メッセージを作成するステップと、前記インスタント・メッセージの書き手が語句を読み上げることにより、該書き手の音声の特徴を示す、１個若しくは複数個のテキストから音声への合成用制御パラメータを確立するステップ」に限定し、「前記インスタント・メッセージ及び前記制御パラメータを、受け手の装置に送るステップ」を「前記インスタント・メッセージとともに前記制御パラメータを、受け手の装置に送るステップ」に限定し、「前記書き手により確立された前記制御パラメータを、前記受け手の装置が受取るステップと、前記インスタント・メッセージをレビューするとともに、前記インスタント・メッセージのテキスト部分を表す音声が前記書き手の確立した前記制御パラメータに従って可聴音として生じるように、前記書き手が確立した前記制御パラメータに従って前記受け手の装置によりテキストから音声への合成を行うステップ」を「前記制御パラメータは、前記受け手の装置によって、前記書き手により確立される前記制御パラメータとともに受け取られる前記インスタント・メッセージが、レビューされるとともに、前記インスタント・メッセージのテキスト部分を表す音声が前記書き手の確立した前記制御パラメータに従って可聴音として生じるように、前記書き手が確立した前記制御パラメータに従ってテキストから音声へと合成されるために用いられる」と限定したものであり、かつ、補正後の請求項１に記載された発明は、補正前の請求項１に記載された発明と産業上の利用分野及び解決しようとする課題が同一であるので、本件補正は、平成１８年法律第５５号改正附則第３条第１項によりなお従前の例によるとされる同法による改正前の特許法第１７条の２第４項第２号の特許請求の範囲の減縮を目的とするものに該当する。
　
　そこで、本件補正後の前記請求項１に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
　
２．引用例
　
（Ａ）原査定の拒絶の理由に引用された本願の優先日前に公開された特表２００５−５３５０１２号公報（以下、「引用例１」という。）には、図面と共に以下の記載がある。
　
　ａ．「【要約】
インスタント・メッセージング（ＩＭ）セッションを実行しているときにユーザのスクリーン上にアニメーション化したトーキング・キャラクタを出現可能にする方法及び装置。ユーザのスクリーン上に表示されるキャラクタは、メッセージのセンダ用のプロファイルにより判断される。これは、どのキャラクタをインスタント・メッセージの受取人のスクリーン上に表示するのかをユーザに予め選択可能にする。」（【要約】の記載）
　
　ｂ．「【請求項１】
　コンピュータ・システムにおけるインスタント・メッセージング方法において、
　センダからのコンテントに含まれるインスタント・メッセージ（ＩＭ）を受け取り、
　前記センダに関連したアニメーション化キャラクタを表示し、かつ
　前記コンテントを前記アニメーション化キャラクタによりユーザに配送する
ことを含む前記方法。
【請求項２】
　請求項１記載の方法において、
　前記ＩＭからの前記ＩＭの前記センダの標識を判断する
ことを更に含む前記方法。
【請求項３】
　請求項２記載の方法において、
　前記センダの前記標識によりサーバに要求を送出し、かつ
　前記サーバから前記センダに関連した前記アニメーション化キャラクタを受け取る
ことを更に含む前記方法。
【請求項４】
　請求項１記載の方法において、前記配送は、
　テキスト・音声合成により前記ＩＭからのテキストをオーディオに変換し、かつ
　前記オーディオをプレーする
ことを含む前記方法。」（【特許請求の範囲】）
　
　ｃ．「【００１３】
　本発明の一実施例では、ＩＭセッション中にユーザが多くの異なるアニメーション化した人格から選択可能にしたシステムが提供される。更に、本発明の一実施例は、ユーザがアニメーション化した人格にイメージをインポートできるように、従ってキャラクタを利用できるようにし、例えばその上にユーザの顔、又は多分ユーザが好む有名人の顔を有するものでもよい。アニメーション化したキャラクタが受取人のスクリーン上に表示されたときは、典型的なＩＭウィンドウの外側に現れてもよく、ユーザがアニメーション化したキャラクタをデスク・トップの都合の良い部分に移動可能にする。
【００１４】
　本発明の一実施例において、テキスト・音声ソフトウェアは、アニメーション化したキャラクタがインスタント・メッセージを声に出して読めるように利用されてもよい。アニメーション化したキャラクタは、それらの唇が読んでいるテキストと共に動けるようにプログラムされてもよい。更に、典型的な「笑顔」（ｓｍｉｌｅｙ）又は「顔文字」（ｅｍｏｔｉｃｏｎ）がキャラクタにより解釈されてもよく、かつアニメーションは対応する顔文字に基づいて変更されてもよい。例えば、ＩＭメッセージのセンダが「怒り」の感情を表しているのであれば、アニメーション化されたキャラクタはその拳をテーブルに打ち付けるようにアニメーション化キャラクタを表示してもよい。」（段落【００１３】〜【００１４】の記載）
　
　ｄ．「【００１８】
　キャラクタは、アニメーション化した、かつ／又は静的なイメージを使用して、センダにより定義された人格の可視的な表示を図形的に出力するために使用されてもよい。加えて、メッセージのオーディオ・バージョン又は表示を得るために、テキスト・音声合成と共に、予め記録したオーディオ・クリップを利用してもよい。オーディオ部分は、書き込まれた情報の単なるオーディオ転写に限定されなくともよい。これは、例えば、音響効果を含めてもよい。ユーザは、多分、怒りを示すシンボルを備え、受取人のコンピュータ・システムにより、犬の唸り声の音響効果をプレーさせることを望む。
【００１９】
　アド・インは、予め定めた顔文字リストに対する着信メッセージを解析し、かつ予め定めたキャラクタ・アニメーション又はオーディオ・クリップ・リストと一致を取ってもよい。」（段落【００１８】〜【００１９】の記載）
　
　これらの記載によれば、引用例１には、次の発明（以下、「引用発明」という。）が記載されているといえる。
　
「インスタント・メッセージング（ＩＭ）セッションを実行しているときにユーザのスクリーン上にアニメーション化したトーキング・キャラクタを出現可能にし、ユーザのスクリーン上に表示されるキャラクタは、メッセージのセンダ用のプロファイルにより判断され、どのキャラクタをインスタント・メッセージの受取人のスクリーン上に表示するのかをユーザに予め選択可能な、コンピュータ・システムにおけるインスタント・メッセージング方法において、
　センダからのコンテントに含まれるインスタント・メッセージ（ＩＭ）を受け取り、
　前記センダに関連したアニメーション化キャラクタを表示し、かつ
　前記コンテントを前記アニメーション化キャラクタによりユーザに配送し、
　前記ＩＭからの前記ＩＭの前記センダの標識を判断し、
　前記センダの前記標識によりサーバに要求を送出し、かつ前記サーバから前記センダに関連した前記アニメーション化キャラクタを受け取り、
　前記配送は、テキスト・音声合成により前記ＩＭからのテキストをオーディオに変換し、かつ前記オーディオをプレーし、
　アニメーション化したキャラクタが受取人のスクリーン上に表示されたときは、典型的なＩＭウィンドウの外側に現れ
　ＩＭメッセージのセンダが「怒り」の感情を表しているのであれば、アニメーション化されたキャラクタはその拳をテーブルに打ち付けるようにアニメーション化キャラクタを表示し、
　オーディオ部分は、書き込まれた情報のオーディオ転写に、犬の唸り声等の音響効果を含めてオーディオをプレーすることを特徴としたインスタント・メッセージング方法」
　
　
（Ｂ）原査定で提示した本願の優先日前に公開された特開２００１−３４２８０号公報（以下、「引用例２」という。）には、図面と共に次の事項が記載されている。
　
　ｅ．「【０００１】
【発明の属する技術分野】本発明は、電子メールのテキストデータを合成音声で読み上げる電子メール受信装置、およびその電子メール受信装置と電子メールを送信する電子メール送信装置とから成る電子メールシステムに関するものである。
【０００２】
【従来の技術】近年、電子メールは企業間のみでなく、個人間の私的な通信手段としても広く普及しており、今後も更なる需要の増加が見込まれている。
【０００３】通常の電子メールはテキスト形式の本文とヘッダと添付ファイルから構成されており、電子メール受信装置の表示装置の画面にそれらの情報が表示される。また、外出先から電話で電子メールを確認したり、画面を見ずに内容を知りたい場合の為に、電子メールをテキスト音声合成により読み上げる電子メール受信装置が実用化されている。そして、従来の電子メール受信装置では、電子メールを読み上げる合成音声がある程度固定されており、誰からの電子メールを受信しても同一の音声で読み上げられていた。これに対して、電子メール送信者の音声を反映するため、電子メール送信装置側の送信者（電子メール送信者）が電子メール受信装置にあらかじめ自分の音声を登録しておき、電子メールに自分のＩＤを付加することにより、電子メール送信者の音声で電子メールを読み上げる音声メールシステムがＩＢＭ社において考案されている（特開平１１−３８９９６号公報参照）。
【０００４】
【発明が解決しようとする課題】しかしながら、上記公報に記載された従来の電子メールシステムでは、電子メール送信者の声質を電子メール受信装置で再現して読み上げる為に、電子メール受信装置に未登録の話者の電子メールを受信した場合には、その音声を再現することができないという不具合があり、これを解決するために、音声合成用の本人の音声素片そのものを電子メールに添付して送信し、電子メール受信装置で登録・合成することが考えられるが、この場合はデータトラフィックの増大を招くという問題点を有していた。また、電子メール送信者としては、自分の電子メールが読み上げられる音声を特定のキャラクタの声など自分の声と関係なく自由に選択したい場合もありうるが、それは現状では実現されていないという問題点を有し、さらに、電子メールの内容によっては読み上げ音声に喜び・怒り・悲しみ等の感情を付加したい場合が考えられるが、それも現状では実現されていないという問題点を有していた。
【０００５】この電子メール受信装置および電子メールシステムでは、音声合成用の話者音声データを電子メールに添付してもデータトラフィックの増大を招かず、また電子メールが読み上げられる音声を自由に選択することができ、さらに電子メールに感情を添付することができることが要求されている。
【０００６】本発明は、音声合成用の話者音声データを電子メールに添付してもデータトラフィックの増大を招かず、また電子メールが読み上げられる音声を自由に選択することができ、さらに電子メールに感情を添付することができる電子メール受信装置、および、音声合成用の話者音声データを電子メールに添付してもデータトラフィックの増大を招かず、また電子メールが読み上げられる音声を自由に選択することができ、さらに電子メールに感情を添付することができる電子メールシステムを提供することを目的とする。」（【段落【０００１】〜【０００６】の記載）
　
　ｆ．「【００４２】（実施の形態２）本発明の実施の形態２による電子メールシステムは図１、図２と同様の構成であるので、その説明を省略する。
【００４３】このように構成された電子メールシステムについて、その動作を図５、図６を用いて説明する。図５は音韻データを選択する電子メール送信装置１の動作を示すフローチャートであり、図６は添付した音韻データに基づいて合成音声を出力する電子メール受信装置２の動作を示すフローチャートである。
【００４４】図５において、まず、広範な話者の声質を網羅する音韻データ群をメモリ１６に備え（Ｓ２１）、声質分析部１３は、話者の音声をそれら音韻データ群と比較分析し、最も一致度の高い音韻データを選択する（Ｓ２２）。そして、その音韻データの識別子を電子メールに記入し、送信する（Ｓ２３）。
【００４５】図６において、まず、電子メールを受信し（Ｓ３１）、データ分離部２２は、電子メール送信装置１と共通の広範な話者の声質を網羅する音韻データ群の一つ示す識別子が電子メールに含まれているかどうかを検出する（Ｓ３２）。次に、上記識別子が含まれている場合には、音声合成部２６は、電子メール送信者により指定された音韻データを用いて、実施の形態１と同様に合成規則に従って音声を合成する（Ｓ３３）。上記識別子が電子メールに含まれていない場合にはステップ３２からステップ３４へ進む。ステップ３４では、上記識別子が含まれているか否かにかかわらず、電子メール本文のテキストデータを解析し、テキスト音声合成の為の音声合成規則を算出する。次に、図４のステップ１５と同様に音声を合成し（Ｓ３５）、合成された音声信号を出力し、電子メールを読み上げる（Ｓ３６）。」（段落【００４２】〜【００４５】の記載）
　
（Ｃ）本願の優先日前に公開された特開平５−２６００８２号公報（以下、「引用例３」という。）には、図面と共に次の事項が記載されている。
　
　ｇ．「【０００１】
【産業上の利用分野】本発明は、電子メール等の通信システムの送信側から送られたテキストを受信側で受け取り、その受け取ったテキストを音声の規則合成により合成音で読み上げるテキスト読み上げ装置に関する。
【０００２】
【従来の技術】音声の規則合成は、特定の人間が実際に発声した音声を観測或いは分析することによって得られる音声パラメータを、子音＋母音（ＣＶ）や母音＋子音＋母音（ＶＣＶ）、子音＋母音＋子音（ＣＶＣ）等の単位で音声素片として予め用意しておき、入力される音韻系列に従ってこれら音声素片を補間接続し、こうして得られた音韻パラメータと、他方で生成されたピッチパターンからなる韻律パラメータとを合成器に送って音声を合成するものである。
【０００３】したがって、このような音声の規則合成方式を用いて、電子メール等の通信システムの受信側で受け取ったテキストを読み上げる場合にも、従来は、読み上げ装置に予め用意されている上記のような音声素片を使って音声の合成を行っていた。
【０００４】
【発明が解決しようとする課題】上記したように従来のテキスト読み上げ装置では、装置に予め用意されている音声素片だけを用いて、送信元等に無関係に音声の合成を行っており、その合成音の声質は常に変わらなかった。しかし、絶えず同じ声質でテキストが読み上げられていると、合成音声に飽きる、聞くのに疲れるといった問題があった。
【０００５】そこで、本発明は、テキスト読み上げの際の声質を、同テキストと共に送受信される送信元識別コードに応じて自動的に切り替えることによって、受信側システム利用者が合成音声に飽きたり疲れたりすることがなく、さらには声質により送信者の判断も可能となるような、電子メール等の通信システムにおけるテキスト読み上げ装置を提供することを第１の目的とする。」（段落【０００１】〜【０００５】の記載）
　
　ｈ．「【００４８】まず入出力装置４１で入力したテキストを送信する際には、同装置４１内のテキスト・声質関連パラメータ送出部５０により、同テキストと共に、同テキストの送信者に固有の声質関連パラメータ、例えばその送信者の発声した音声により作成された母音素片、送信者の声の基本ピッチ及び各母音の残差信号（音源残差信号）を含む情報が併せてメールシステム２に送出される。
【００４９】テキスト・声質関連パラメータ送出部５０から送出されたテキスト及び声質関連パラメータ（母音素片、基本ピッチ及び各母音の音源残差信号）を含む情報は、送信側メールシステム２を通じてメールとして送信され、メッセージ通信システム４を介して受信側メールシステム５に送られる。
【００５０】受信側メールシステム５に送られたメールは、同システム５で受け取られる。このシステム５が受け取ったメールの内容は入出力装置４７で必要なときに出力することができる。図４の構成では、このとき、入出力装置４７から音声合成装置４６に対し、受信したテキストと共に受信した声質関連パラメータ（母音素片、基本ピッチ及び各母音の音源残差信号）を渡すことで、同合成装置４６により、そのテキストを送信者に対応した声質の合成音声で出力することができる。」（段落【００４８】〜【００５０】の記載）
　
　上記引用例２、３に記載されているように、通信システムの送信側から送られたテキストを合成音声で読み上げる装置において、誰からの電子メールを受信しても同一の音声で読み上げるのではなく、送信者が発生した音声に基づいてパラメータを作成してテキストとあわせて送信し、受信側で当該パラメータに従って送信者の声質を再現してテキストを読み上げる技術は周知（以下、「周知技術」という。）である。
　
　
３．対比
　
　本願補正発明と引用発明とを対比する。
　
　引用発明の「書き込まれた情報のオーディオ転写」に「音響効果」を含めることは、「インスタント・メッセージ」に「犬の唸り声」等の、すなわち可聴音信号の「音響効果」を付加しているといえ、引用発明の「インスタント・メッセージング方法」は「インスタント・メッセージを可聴音信号によって注釈付けする方法」といえる。
　
　引用発明は、「センダ」が「インスタント・メッセージ」を作成することは自明であり、本願補正発明の「インスタント・メッセージを作成するステップ」を含んでいるといえる。
　
　引用発明は、「インスタント・メッセージ」の「センダの標識」により「サーバ」から「アニメーション化キャラクタ」を受け取り、また「インスタント・メッセージ」に含まれる情報により「アニメーション化キャラクタ」を「その拳をテーブルに打ち付けるように」表示し、「書き込まれた情報のオーディオ転写」に「音響効果」を含めてプレーさせるものであって、「インスタント・メッセージ」に含まれる制御情報といえる情報に従って、どの「キャラクタ」を「受取人のスクリーン上に表示」させるか、どの動きで「アニメーション化キャラクタ」を表示するか、「テキスト・音声合成」と共に「書き込まれた情報のオーディオ転写」にどの「音響効果」を含めるかを制御しているものと認められ、上記制御情報といえる情報は、本願補正発明の「合成用制御パラメータ」と「制御パラメータ」である点で共通するといえ、引用発明の「インスタント・メッセージング方法」と本願補正発明の「前記インスタント・メッセージとともに前記制御パラメータを、受け手の装置に送るステップ」とは、「前記インスタント・メッセージとともに制御パラメータを、受け手の装置に送るステップ」を含んでいる点で共通するといえる。
　
　引用発明の「受取人のスクリーン上に表示され」る「キャラクタ」は、「典型的なＩＭウィンドウの外側に現れ」、「典型的なＩＭウィンドウ」の内側には「インスタント・メッセージ」の文章が表示され「受取人」がこれをレビューできることは自明といえ、引用発明は本願補正発明の「前記受け手の装置によって、前記書き手により確立される前記制御パラメータとともに受け取られる前記インスタント・メッセージが、レビューされる」ことを含んでいるといえる。
　引用発明が「インスタント・メッセージ」に含まれる制御パラメータに従って、「キャラクタ」を「受取人のスクリーン上に表示」させ、「キャラクタをアニメーション化」し、「テキスト・音声合成」と共に「書き込まれた情報のオーディオ転写」に「音響効果」を含めることと本願補正発明の「前記インスタント・メッセージのテキスト部分を表す音声が前記書き手の確立した前記制御パラメータに従って可聴音として生じるように、前記書き手が確立した前記制御パラメータに従ってテキストから音声へと合成される」こととは、「インスタント・メッセージの表示に加えて付加的な処理を動作させる」点で共通するといえる。
　よって、引用発明は「前記制御パラメータは、前記受け手の装置によって、前記書き手により確立される前記制御パラメータとともに受け取られる前記インスタント・メッセージが、レビューされるとともに、インスタント・メッセージの表示に加えて付加的な処理を動作させるために用いられる」構成を有しているといえる。
　
　したがって、両者は、以下の点で一致し、相違する。
　
［一致点］
　インスタント・メッセージを可聴音信号によって注釈付けする方法であって、
　インスタント・メッセージを作成するステップと、
　前記インスタント・メッセージとともに制御パラメータを、受け手の装置に送るステップと、
　を有し、
　前記制御パラメータは、前記受け手の装置によって、前記書き手により確立される前記制御パラメータとともに受け取られる前記インスタント・メッセージが、レビューされるとともに、インスタント・メッセージの表示に加えて付加的な処理を動作させるために用いられる、
　方法。
　
［相違点］
　本願補正発明は「前記インスタント・メッセージの書き手が語句を読み上げることにより、該書き手の音声の特徴を示す、１個若しくは複数個のテキストから音声への合成用制御パラメータを確立するステップ」を有し、本願補正発明の制御パラメータは「前記インスタント・メッセージのテキスト部分を表す音声が前記書き手の確立した前記制御パラメータに従って可聴音として生じるように、前記書き手が確立した前記制御パラメータに従ってテキストから音声へと合成されるために用いられる」ものであるのに対して、
　引用発明は「前記インスタント・メッセージの書き手が語句を読み上げることにより、該書き手の音声の特徴を示す、１個若しくは複数個のテキストから音声への合成用制御パラメータを確立するステップ」を有するものではなく、引用発明の制御パラメータは「前記インスタント・メッセージのテキスト部分を表す音声が前記書き手の確立した前記制御パラメータに従って可聴音として生じるように、前記書き手が確立した前記制御パラメータに従ってテキストから音声へと合成されるために用いられる」ものではない点。
　
　
４．判断
　
　上記［相違点］について検討する。
　通信システムの送信側から送られたテキストを合成音声で読み上げる装置において、誰からの電子メールを受信しても同一の音声で読み上げるのではなく、送信者が発生した音声に基づいてパラメータを作成してテキストとあわせて送信し、受信側で当該パラメータに従って送信者の声質を再現してテキストを読み上げる技術は周知（上記「周知技術」）である。
　引用発明は、テキスト・音声合成によりインスタント・メッセージからのテキストを変換したオーディオをプレーする際に、どのような声質でテキストが読まれるのか明らかでないが、通信システムにおけるテキスト読み上げ装置の技術分野において、合成音声に飽きたり疲れたりすることがなく、声質により送信者の判断も可能とすることは周知の課題であり（例えば上記引用例３の【０００５】）、引用発明においても上記周知技術が有用かつ採用可能であることは当業者に明らかである。
　したがって、引用発明の「書き込まれた情報のオーディオ転写」を、送信者が発生した音声に基づいてパラメータを作成してテキストとあわせて送信し、受信側で当該パラメータに従って送信者の声質を再現してテキストを読み上げる構成とすることで、上記相違点に係る本願発明の構成とすることは当業者が適宜なし得たことである。
　
　そして、本願補正発明の作用効果も、引用発明及び周知技術から当業者が予測できる範囲のものである。
　
　したがって、本願補正発明は、引用発明及び周知技術に基づいて、当業者が容易に発明をすることができたものであるから、特許法第２９条第２項の規定により特許出願の際独立して特許を受けることができないものである。
　
　
５．まとめ
　
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　
第３．本願発明について
　
１．本願発明
　
　平成２４年１２月２５日付の手続補正は上記のとおり却下されたので、本願の請求項１に係る発明（以下，「本願発明」という。）は、平成２４年３月３０日付手続補正書の特許請求の範囲の請求項１に記載された事項により特定される、以下のとおりのものである。
　
　「インスタント・メッセージを可聴音信号によって注釈付けする方法であって、
インスタント・メッセージの作成中、音声注釈付けオプションのために１個若しくは複数個のテキストから音声への合成用制御パラメータを、書き手が語句を読み上げることにより確立するステップと、
前記インスタント・メッセージ及び前記制御パラメータを、受け手の装置に送るステップと、
前記書き手により確立された前記制御パラメータを、前記受け手の装置が受取るステップと、
前記インスタント・メッセージをレビューするとともに、
前記インスタント・メッセージのテキスト部分を表す音声が前記書き手の確立した前記制御パラメータに従って可聴音として生じるように、前記書き手が確立した前記制御パラメータに従って前記受け手の装置によりテキストから音声への合成を行うステップと
を含む方法。」
　
２．引用例
　
　原査定の拒絶の理由に引用された引用例の記載事項は、前記「第２．」「２．」に記載したとおりである。　
　
３．対比・判断
　
　本願発明は、前記「第２．」「１．」で検討した本願補正発明から、「インスタント・メッセージの作成中、音声注釈付けオプションのために１個若しくは複数個のテキストから音声への合成用制御パラメータを、書き手が語句を読み上げることにより確立するステップ」について「インスタント・メッセージを作成するステップと、前記インスタント・メッセージの書き手が語句を読み上げることにより、該書き手の音声の特徴を示す、１個若しくは複数個のテキストから音声への合成用制御パラメータを確立するステップ」と限定する構成を省き、「前記インスタント・メッセージ及び前記制御パラメータを、受け手の装置に送るステップ」について「前記インスタント・メッセージとともに前記制御パラメータを、受け手の装置に送るステップ」と限定する構成を省き、「前記書き手により確立された前記制御パラメータを、前記受け手の装置が受取るステップと、前記インスタント・メッセージをレビューするとともに、前記インスタント・メッセージのテキスト部分を表す音声が前記書き手の確立した前記制御パラメータに従って可聴音として生じるように、前記書き手が確立した前記制御パラメータに従って前記受け手の装置によりテキストから音声への合成を行うステップ」について「前記制御パラメータは、前記受け手の装置によって、前記書き手により確立される前記制御パラメータとともに受け取られる前記インスタント・メッセージが、レビューされるとともに、前記インスタント・メッセージのテキスト部分を表す音声が前記書き手の確立した前記制御パラメータに従って可聴音として生じるように、前記書き手が確立した前記制御パラメータに従ってテキストから音声へと合成されるために用いられる」と限定する構成を省くものである。
　
　そうすると、本願発明の構成要件をすべて含み、さらに他の構成要件を付加したものに相当する本願補正発明が、前記「第２．」「４．」に記載したとおり、引用発明及び周知技術に基づいて、当業者が容易に発明をすることができたものであるから、本願発明も同様の理由により、引用発明及び周知技術に基づいて、当業者が容易に発明をすることができたものである。
　
４．むすび
　
　以上のとおり、本願発明は、引用発明及び周知技術に記載された発明に基づいて、当業者が容易に発明をすることができたものであるから、特許法第２９条第２項の規定により特許を受けることができない。
　したがって、本願は、その余の請求項について論及するまでもなく、拒絶すべきものである。
　
　よって、結論のとおり審決する。